(57)【要約】  初期画面から直ぐに文字列を入力して文章を作成することができ、当該文章をメッセージとするメールを起動することが可能な携帯電子機器を提供すること。  制御部４５は、ＬＣＤ表示部２１に第１種記号及び第２種記号を表示するように制御しているときに、第２キーが押下された場合には、第１種記号に対する変換処理を実行し、その後、第３キー（キー１３ａ）が押下されて所定のアプリケーションが選択された場合、当該変換処理により作成された文章が当該アプリケーションにより規定されている書式に従っているか否かを判断し、当該書式に従っていないと判断したとき、当該書式に適合するように調整する。
2010032760.tif 000002
【特許請求の範囲】
【請求項１】
表示部と、キー操作部と、前記表示部及び前記キー操作部の制御を行う制御部と、を備え、
前記キー操作部は、第１種記号と第２種記号とが割り当てられている複数のキーよりなる第１キーと、前記第１種記号及び前記第２種記号が割り当てられておらず、単一又は複数の機能が割り当てられている第２キーと、前記第１種記号及び前記第２種記号が割り当てられておらず、前記第２キーとは異なる機能が割り当てられている第３キーとを含んで構成されており、
前記制御部は、初期画面を前記表示部に表示させている状態において、前記第１キーのいずれかのキーが押下されたときには、押下された当該キーに割り当てられている前記第１種記号と、押下された当該キーに割り当てられている前記第２種記号とを前記表示部に表示するように制御し、
前記表示部に前記第１種記号及び前記第２種記号が表示されているときに、前記第２キーが押下された場合には、前記第１種記号に対する第１処理を実行し、その後、前記第３キーが操作されて所定のアプリケーションが選択された場合、当該第１処理により作成された記号列が当該アプリケーションにより規定されている制限事項に従っているか否かを判断し、当該制限事項に従っていないと判断したとき、所定の第２処理を行うことを特徴とする携帯電子機器。
【請求項２】
前記制御部は、前記第１種記号に対する第１処理において、前記第３キーが操作されて所定のアプリケーションが選択された場合、前記第１処理により作成された記号列に当該アプリケーションにより規定されている禁則記号が含まれているか否かを判断し、当該禁則記号が含まれていると判断したとき、前記所定の第２処理として、その禁則記号を前記制限事項に適合する他の記号に変換することを特徴とする請求項１記載の携帯電子機器。
【請求項３】
前記制御部は、前記第１種記号に対する第１処理において、前記第３キーが操作されて所定のアプリケーションが選択された場合、前記第１処理により作成された記号列が当該アプリケーションにより規定されている情報量を超えているか否かを判断し、当該情報量を超えていると判断したとき、前記所定の第２処理として、超えている情報量に相当する記号を削除することを特徴とする請求項１記載の携帯電子機器。
【請求項４】
前記所定のアプリケーションは、電話番号により送信相手を特定し、所定の文字数のメッセージによるメール送信を実行するアプリケーションであることを特徴とする請求項１記載の携帯電子機器。
【請求項５】
表示部と、キー操作部と、前記表示部及び前記キー操作部の制御を行う制御部と、を備え、
前記キー操作部は、第１種記号と第２種記号とが割り当てられている複数のキーよりなる第１キーと、前記第１種記号及び前記第２種記号が割り当てられておらず、単一又は複数の機能が割り当てられている第２キーと、前記第１種記号及び前記第２種記号が割り当てられておらず、前記第２キーとは異なる機能が割り当てられている第３キーとを含んで構成されており、
前記制御部は、初期画面を前記表示部に表示させている状態において、前記第１キーのいずれかのキーが押下されたときには、該押下されたキーに割り当てられている前記第１種記号と、前記第２種記号とを前記表示部に表示するように制御し、
前記表示部に前記第１種記号及び前記第２種記号が表示されているときに、前記第２キーが押下された場合は、前記第１種記号に対する所定の処理を実行し、
その後、前記第３キーが操作されて所定のアプリケーションが選択された場合、前記制御部は、当該処理により作成された記号列が当該アプリケーションにより規定されている制限事項に従っているか否かを判断し、
該制限事項に従っていないと判断したときには、前記処理により作成された記号列が前記選択されたアプリケーションとは異なる他のアプリケーションの制限事項に従っているか否かを判断し、
又は、当該他のアプリケーションが制限事項に従っていると判断したときには、前記所定のアプリケーションに代えて前記他のアプリケーションを選択するか否かの選択が可能となるように制御するか、或いは、前記他のアプリケーションを起動するように制御することを特徴とする携帯電子機器。
【請求項６】
前記所定のアプリケーションは、電話番号により送信相手を特定し、所定の文字数のメッセージによるメール送信を実行するアプリケーションであることを特徴とする請求項５に記載の携帯電子機器。
【請求項７】
表示部と、キー操作部と、前記表示部及び前記キー操作部の制御を行う制御部と、を備え、
前記キー操作部は、第１種記号と第２種記号とが割り当てられている複数のキーよりなる第１キーと、前記第１種記号及び前記第２種記号が割り当てられておらず、単一又は複数の機能が割り当てられている第２キーと、前記第１種記号及び前記第２種記号が割り当てられておらず、前記第２キーとは異なる機能が割り当てられている第３キーと、電話番号を登録可能な第４キーとを含んで構成されており、
前記制御部は、初期画面を前記表示部に表示させている状態において、前記第１キーのいずれかのキーが押下されたときには、押下された当該キーに割り当てられている前記第１種記号と、押下された当該キーに割り当てられている前記第２種記号とを前記表示部に表示するように制御し、
前記表示部に前記第１種記号及び前記第２種記号が表示されているときに、前記第２キーが押下された場合には、前記第１種記号に対する第１処理を実行し、その後、前記第３キーが操作されて、電話番号により送信相手を特定し、所定の文字数のメッセージによるメール送信を実行するアプリケーションが選択された場合、電話番号が登録されている前記第４キーを報知し、
報知された前記第４キーが操作された場合、前記第１処理により作成された記号列が当該アプリケーションにより規定されている制限事項に従っているか否かを判断し、当該制限事項に従っていると判断したとき、操作された前記第４キーに登録されている電話番号に対してメールを送信し、当該制限事項に従っていないと判断したとき、所定の第２処理を行うことを特徴とする携帯電子機器。
【請求項８】
前記所定の第２処理は、前記制限事項に従うように記号列を調整する処理であることを特徴とする請求項１に記載の携帯電子機器。
【発明の詳細な説明】
【技術分野】
【０００１】
本発明は、操作部を有する携帯電子機器に関し、特に、複数種類の記号が同一のキーに割り当てられている携帯電子機器に関する。
【背景技術】
【０００２】
携帯電子機器は、各種の情報を表示する表示部と、複数のキーにより構成されている操作部を備えている。【０００３】
ここで、携帯電話装置等の携帯電子機器では、着信を待ち受けるときやその他のアプリケーションの起動を待ち受けるときには、表示部に初期画面が表示される。この初期状態において、数字が割り当てられている操作キーが押下されると、当該押下された操作キーに対応する数字を表示部に表示する。そして、携帯電話装置は、表示部に数字が表示されている状態において、例えば、オンフックキーが押下された場合には、入力されている数字に基づいた電話発信処理を行い、また、計算機（電卓）を起動するキーが押下された場合には、入力されている数字を初期の数値として計算機アプリケーションを起動する。【０００４】
また、携帯電子機器では、初期画面からキー操作をしたときに、当該キー操作に応じた文字が表示部に表示され、所定の操作（アプリケーションの一覧を表示するキーを押下する操作）が実行されたときに、表示されている文字列に対応するアプリケーションの一覧が表示され、当該一覧の中から一のアプリケーションを選択することによりアプリケーションの起動を実行する技術が提案されている（例えば、特許文献１を参照）。
【先行技術文献】
【特許文献】
【０００５】
【特許文献１】特開２００７−２００２４３号公報
【発明の概要】
【発明が解決しようとする課題】
【０００６】
ところで、初期画面の状態において、数字と文字とが割り当てられているキーが押下された場合に、キー操作の初期段階においては、ユーザがどちらの記号を意識しながら操作しているか分からない。特許文献１の技術のように文字の入力を優先させた場合には、数字の入力が無視されることになり、一方、数字の入力を優先させると、文字の入力が無視されることになり、ユーザの意思が反映されない可能性がある。【０００７】
本発明は、上記ユーザの意思を反映した使い勝手のよい携帯電子機器を提供することを目的とする。
【課題を解決するための手段】
【０００８】
本発明に係る携帯電子機器は、上記課題を解決するために、表示部と、キー操作部と、前記表示部及び前記キー操作部の制御を行う制御部と、を備え、前記キー操作部は、第１種記号と第２種記号とが割り当てられている複数のキーよりなる第１キーと、前記第１種記号及び前記第２種記号が割り当てられておらず、単一又は複数の機能が割り当てられている第２キーと、前記第１種記号及び前記第２種記号が割り当てられておらず、前記第２キーとは異なる機能が割り当てられている第３キーとを含んで構成されており、前記制御部は、初期画面を前記表示部に表示させている状態において、前記第１キーのいずれかのキーが押下されたときには、押下された当該キーに割り当てられている前記第１種記号と、押下された当該キーに割り当てられている前記第２種記号とを前記表示部に表示するように制御し、前記表示部に前記第１種記号及び前記第２種記号が表示されているときに、前記第２キーが押下された場合には、前記第１種記号に対する第１処理を実行し、その後、前記第３キーが操作されて所定のアプリケーションが選択された場合、当該第１処理により作成された記号列が当該アプリケーションにより規定されている制限事項に従っているか否かを判断し、当該制限事項に従っていないと判断したとき、所定の第２処理を行うことを特徴とする。【０００９】
また、上記携帯電子機器では、前記制御部は、前記第１種記号に対する第１処理において、前記第３キーが操作されて所定のアプリケーションが選択された場合、前記第１処理により作成された記号列に当該アプリケーションにより規定されている禁則記号が含まれているか否かを判断し、当該禁則記号が含まれていると判断したとき、前記所定の第２処理として、その禁則記号を前記制限事項に適合する他の記号に変換することが好ましい。【００１０】
また、上記携帯電子機器では、前記制御部は、前記第１種記号に対する第１処理において、前記第３キーが操作されて所定のアプリケーションが選択された場合、前記第１処理により作成された記号列が当該アプリケーションにより規定されている情報量を超えているか否かを判断し、当該情報量を超えていると判断したとき、前記所定の第２処理として、超えている情報量に相当する記号を削除することが好ましい。【００１１】
また、上記携帯電子機器では、前記所定のアプリケーションは、電話番号により送信相手を特定し、所定の文字数のメッセージによるメール送信を実行するアプリケーションであることが好ましい。【００１２】
本発明に係る携帯電子機器は、上記課題を解決するために、表示部と、キー操作部と、前記表示部及び前記キー操作部の制御を行う制御部と、を備え、前記キー操作部は、第１種記号と第２種記号とが割り当てられている複数のキーよりなる第１キーと、前記第１種記号及び前記第２種記号が割り当てられておらず、単一又は複数の機能が割り当てられている第２キーと、前記第１種記号及び前記第２種記号が割り当てられておらず、前記第２キーとは異なる機能が割り当てられている第３キーとを含んで構成されており、前記制御部は、初期画面を前記表示部に表示させている状態において、前記第１キーのいずれかのキーが押下されたときには、該押下されたキーに割り当てられている前記第１種記号と、前記第２種記号とを前記表示部に表示するように制御し、前記表示部に前記第１種記号及び前記第２種記号が表示されているときに、前記第２キーが押下された場合は、前記第１種記号に対する所定の処理を実行し、その後、前記第３キーが操作されて所定のアプリケーションが選択された場合、前記制御部は、当該処理により作成された記号列が当該アプリケーションにより規定されている制限事項に従っているか否かを判断し、前記制御部は、該制限事項に従っていないと判断したときには、前記処理により作成された記号列が前記選択されたアプリケーションとは異なる他のアプリケーションの制限事項に従っているか否かを判断し、前記制御部は、当該他のアプリケーションが制限事項に従っていると判断したときには、前記所定のアプリケーションに代えて前記他のアプリケーションを選択するか否かの選択が可能となるように制御するか、或いは、前記他のアプリケーションを起動するように制御することを特徴とする。【００１３】
また、上記携帯電子機器では、前記所定のアプリケーションは、電話番号により送信相手を特定し、所定の文字数のメッセージによるメール送信を実行するアプリケーションであることが好ましい。【００１４】
本発明に係る携帯電子機器は、上記課題を解決するために、表示部と、キー操作部と、前記表示部及び前記キー操作部の制御を行う制御部と、を備え、前記キー操作部は、第１種記号と第２種記号とが割り当てられている複数のキーよりなる第１キーと、前記第１種記号及び前記第２種記号が割り当てられておらず、単一又は複数の機能が割り当てられている第２キーと、前記第１種記号及び前記第２種記号が割り当てられておらず、前記第２キーとは異なる機能が割り当てられている第３キーと、電話番号を登録可能な第４キーとを含んで構成されており、前記制御部は、初期画面を前記表示部に表示させている状態において、前記第１キーのいずれかのキーが押下されたときには、押下された当該キーに割り当てられている前記第１種記号と、押下された当該キーに割り当てられている前記第２種記号とを前記表示部に表示するように制御し、前記表示部に前記第１種記号及び前記第２種記号が表示されているときに、前記第２キーが押下された場合には、前記第１種記号に対する第１処理を実行し、その後、前記第３キーが操作されて、電話番号により送信相手を特定し、所定の文字数のメッセージによるメール送信を実行するアプリケーションが選択された場合、電話番号が登録されている前記第４キーを報知し、報知された前記第４キーが操作された場合、前記第１処理により作成された記号列が当該アプリケーションにより規定されている制限事項に従っているか否かを判断し、当該制限事項に従っていると判断したとき、操作された前記第４キーに登録されている電話番号に対してメールを送信し、当該制限事項に従っていないと判断したとき、所定の第２処理を行うことを特徴とする。【００１５】
また、上記携帯電子機器では、前記所定の第２処理は、前記制限事項に従うように記号列を調整する処理であることが好ましい。
【発明の効果】
【００１６】
本発明によれば、初期画面から直ぐに文字列を作成することができ、作成された文字列をアプリケーションに利用することが可能である。
【図面の簡単な説明】
【００１７】
【図１】携帯電子機器の第１実施形態である携帯電話装置の外観斜視図である。
【図２】携帯電話装置を折畳んだ状態の斜視図である。
【図３】携帯電子機器の第１実施形態である携帯電話装置の機能を示す機能ブロック図である。
【図４】キーアサインについての説明に供する図である。
【図５】初期画面から第１種記号表示領域と第２種記号表示領域による分割画面に表示状態が変化し、その後、第１種記号表示領域に表示状態が変化する様子についての説明に供する図である。
【図６】作成した文章がＳＭＳメールアプリケーションの書式に適合するように調整し、調整後の文章をメールのメッセージ部分に貼り付ける方法についての説明に供するフローチャートである。
【図７】携帯電子機器の第２実施形態である携帯電話装置の外観斜視図である。
【図８】携帯電子機器の第２実施形態である携帯電話装置の機能を示す機能ブロック図である。
【図９】携帯電子機器の第２実施形態である携帯電話装置の動作についての説明に供するフローチャートである。
【発明を実施するための形態】
【００１８】
＜第１実施形態＞
以下、本発明の実施の形態について説明する。図１は、本発明に係る携帯電子機器の第１実施形態である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でも良い。
【００１９】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００２０】
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、を備えて構成されている。
【００２１】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２２】
また、図２は、携帯電話装置１を折畳んだ状態の斜視図を示している。操作部側筐体部２は、外平面部に、時計やメールの着信等が表示されるサブＬＣＤ表示部３０が備えられている。
【００２３】
また、図３は、携帯電話装置１の機能を示す機能ブロック図である。携帯電話装置１は、図３に示すように、操作部１１（キー操作部）と、マイク１２と、メインアンテナ４０と、ＲＦ回路部４１と、ＬＣＤ制御部４２と、音声処理部４３と、メモリ４４と、制御部４５と、が操作部側筐体部２に備えられ、ＬＣＤ表示部２１（表示部）と、スピーカ２２と、ドライバＩＣ２３と、サブＬＣＤ表示部３０とが表示部側筐体部３に備えられている。
【００２４】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯で外部装置と通信を行い、ＧＰＳ通信のための第２の使用周波数帯に対応できるアンテナを別途設けても良い。
【００２５】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知する。
【００２６】
ＬＣＤ制御部４２は、制御部４５の制御に従って、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１又はサブＬＣＤ表示部３０に出力する。
【００２７】
音声処理部４３は、制御部４５の制御に従って、ＲＦ回路部４１から供給された信号に対して所定の音声処理を行い、処理後の信号をスピーカ２２に出力する。スピーカ２２は、音声処理部４３から供給された信号を外部に出力する。
【００２８】
また、音声処理部４３は、制御部４５の制御に従って、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２９】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていても良い。
【００３０】
制御部４５は、携帯電話装置１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４、決定操作キー１５）に割り当てる記号や機能を変化させる。
【００３１】
具体的には、操作部１１は、いずれかのキーが押下されたときに、当該キーの位置情報（例えば、図４（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図４（ｂ）〜図４（ｄ）に示すように、複数のキーアサインテーブルが格納されている。なお、図４（ｂ）は、電話発信を行う際に利用されるテーブルであり、図４（ｃ）は、メモ帳アプリケーションやメールアプリケーションにおいて利用されるテーブルであり、図４（ｄ）は、テレビアプリケーションにおいてチャンネルを変更する際に利用されるテーブルである。
【００３２】
なお、記号の処理の実行とは、例えば、現在アクティブになっているアプリケーションがメモ帳の場合には、「１」や「あ」をＬＣＤ表示部２１に表示することを意味している。また、機能の処理の実行とは、例えば、現在アクティブになっているアプリケーションがテレビの場合には、表示チャンネルを１ｃｈに設定することを意味している。
【００３３】
また、メモリ４４には、複数のキーアサインテーブルが格納されており、制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３４】
このように構成される携帯電話装置１では、通信の待ち受け状態において、キー操作が行われた場合に、当該キーに割り当てられている複数の記号（例えば、数字や文字）それぞれを、例えば、別々の画面領域に並列的に表示し、所定のキー操作が行われた場合に一方の記号が表示されている画面を有効にする機能を有している。また、携帯電話装置１では、別々の画面領域に並列的に複数の記号が表示されている状態において、文字の変換処理を行って文章を作成し、所定の操作によってＳＭＳ（Ｓｈｏｒｔ  Ｍｅｓｓａｇｅ  Ｓｅｒｖｉｃｅ）メールアプリケーションが選択された場合、当該文章が当該メールアプリケーションの書式に適合するように調整する機能を有している。なお、書式が適合するとは、例えば、記号列が制限文字数を超えていないか、禁則文字を含んでいないかといったアプリケーション毎の制限事項に従うことを言う。
【００３５】
ここで、上述した機能を発揮するための制御部４５の動作について説明する。なお、操作部１１は、第１キー（例えば、図１中Ａに示す、入力操作キー１４の第２行目から第５行目に位置するキー）と、第２キー（例えば、図１に示す、決定操作キー１５の上下キー１５ａ、１５ｂ）と、第３キー（例えば、図１に示す、機能設定操作キー１３に含まれているキー１３ａ）とを含んで構成されている。
【００３６】
第１キーは、第１種記号（例えば、「あ」、「い」、「う」等のひらがな）と第２種記号（例えば、「１」、「２」、「３」等の数字）とが割り当てられている複数のキーより構成されている。第２キーは、第１種記号及び第２種記号が割り当てられておらず、単一又は複数の機能（例えば、かなを漢字に変換する機能等）が割り当てられているキーである。第３キーは、第１種記号及び第２種記号が割り当てられておらず、第２キーとは異なる機能（例えば、アプリケーションを選択するためのメニューの表示機能等）が割り当てられているキーである。
【００３７】
制御部４５は、着信を待ち受ける初期画面１００をＬＣＤ表示部２１に表示させている状態において（図５（ａ））、第１キーのいずれかのキーが押下されたときには、押下された当該キーに割り当てられている第１種記号と、押下された当該キーに割り当てられている第２種記号とをＬＣＤ表示部２１に表示するように制御する（図５（ｂ）、（ｃ））。具体的には、制御部４５は、第１種記号を第１種記号表示領域１０１に表示し、第２種記号を第２種記号表示領域１０２に表示するように制御する。また、第１種記号とは、例えば、「あ」、「い」、「う」等のひらがなに相当する記号である。第２種記号とは、例えば、「１」、「２」、「３」等の数字に相当する記号である。
【００３８】
また、制御部４５は、ＬＣＤ表示部２１に第１種記号及び第２種記号を表示するように制御しているときに、第２キーが押下された場合には、（第１種記号表示領域１０１に入力されている）第１種記号に対する変換処理（例えば、かなを漢字に変換する処理（第１処理））を実行し（図５（ｄ））、その後、第３キー（キー１３ａ）が押下されて所定のアプリケーションが選択された場合、当該変換処理により作成された文章が当該アプリケーションにより規定されている書式に従っているか否かを判断し、当該書式に従っていないと判断したとき、当該書式に適合するように調整する。
【００３９】
ここで、所定のアプリケーションとは、例えば、電話番号により送信相手を特定し、所定の文字数のメッセージによるメール送信を実行するアプリケーション（以下、ＳＭＳ（ｓｈｏｒｔ  ｍｅｓｓａｇｅ  ｓｅｒｖｉｃｅ）メールと言う。）である。
【００４０】
ここで、図５に示す例においては、制御部４５は、初期画面１００（図５（ａ））において、「２」と「か」が表面に印刷されているキーが５回連続して押下された場合には、第１種記号が表示される第１種記号表示領域１０１に「こ」を表示するよう制御し、同時に、第２種記号が表示される第２種記号表示領域１０２に「２２２２２」を表示するように制御する（図５（ｂ））。次に、「０」と「わをん」が表面に印刷されているキーを３回押下し、「５」と「な」が表面に印刷されているキーを２回押下し、「４」と「た」が表面に印刷されているキーを２回押下し、「６」と「は」が表面に印刷されているキーを１回押下した場合には、第１種記号表示領域１０１には「こんにちは」が表示され、第２種記号表示領域１０２には「２２２２２０００５５４４６」が表示される（図５（ｃ））。
【００４１】
また、表示画面が図５（ｂ）や図５（ｃ）等の状態において、決定操作キー１５の上下キー１５ａ、１５ｂが押下された場合には、制御部４５は、かなを漢字に変換する処理を実行し、第１種記号表示領域１０１が表示画面中で拡大して表示される。図５（ｄ）に示す例では、「こんにちは」が「今日は」に変換される。なお、詳細には、決定操作キー１５の上下キー１５ａ、１５ｂが押下されて「今日は」と変換された後に、文字の確定操作（例えば、決定操作キー１５に含まれているセンターキーの押下）により「今日は」が入力文字として確定する。
【００４２】
上述のようにして文章を作成した後、第３キー（キー１３ａ）を押下すると、複数のアプリケーションが選択できるメニュー画面が表示される。そして、上下キー１５ａ、１５ｂの押下によりＳＭＳメールのアプリケーションが選択された場合、制御部４５は、作成された文書がＳＭＳメールの書式に適合するように文書を調整する。
【００４３】
このようにして、携帯電話装置１は、初期画面の状態からアプリケーションを選択せずに、直ぐに文章を作成することができ、その後、当該文章が所定の書式に適合するように調整し、調整後の文章をＳＭＳメールのメッセージ部分に貼り付けるので、ＳＭＳメール機能を利用してメールを送信する方法として、従来方法とは異なる利便性の高い方法を提供することができる。
【００４４】
また、具体的には、制御部４５は、初期画面から文章が作成された後に、第３キー（キー１３ａ）が押下されると複数のアプリケーションが選択できるメニュー画面を表示するように制御する。その後、制御部４５は、上下キー１５ａ、１５ｂの押下によりＳＭＳメールのアプリケーションが選択された場合、第１種記号に係る記号列に当該アプリケーションにより規定されている禁則記号（禁則コード）が含まれているか否かを判断し、当該禁則記号が含まれていると判断したとき、その禁則記号を他の記号に変換する。
【００４５】
禁則記号（禁則コード）は、例えば、改行を示す記号（コード）である。また、制御部４５は、調整前の文章に改行を示す記号（コード）が含まれている場合には、例えば、ＬＣＤ表示部２１に「入力できない文字が含まれています。正しく表示されない場合があります。よろしいですか？」等の表示を行う。そして、制御部４５は、ユーザによる選択操作により「Ｙｅｓ」が選択された場合には、改行を示す記号を空欄（スペース）を示す記号に変換（置換）し、変換後の文章をメッセージ部分に貼り付けて、ＳＭＳメールの作成画面に遷移する。また、制御部４５は、ユーザによる選択操作により「Ｎｏ」が選択された場合には、ＳＭＳメールアプリケーションの起動を行わない。
なお、禁則記号（禁則コード）は、この例や後述する例に限られない。記号列が禁則記号に該当するか否かは、アプリケーションごと、或いは、アプリケーションにおける所定の処理ごとに個別に定められた基準に基づき判断される。また、禁則記号のテーブルをメモリ４４に備え、当該テーブルを参照しながら禁則記号に該当するか否かを判断してもよい。
【００４６】
また、制御部４５は、調整前の文章に禁則記号が含まれている場合には、強制的に禁則記号を他の記号に変換（置換）し、変換後の文章をメッセージ部分に貼り付けて、ＳＭＳメールの作成画面に遷移しても良い。また、ＳＭＳメールの作成画面に遷移した後は、ユーザは、所定の書式に従って、文章の追加、変更、削除等が可能である。
【００４７】
このように構成されることにより、携帯電話装置１は、作成した文章がＳＭＳメールアプリケーションの書式に適合するように調整するので、初期画面から文章を作成することができ、かつＳＭＳメールアプリケーションへの遷移をスムーズに行うことができる。
【００４８】
また、制御部４５は、初期画面から文章が作成された後に、第３キー（キー１３ａ）が押下されると複数のアプリケーションが選択できるメニュー画面を表示するように制御する。その後、制御部４５は、上下キー１５ａ、１５ｂの押下によりＳＭＳメールのアプリケーションが選択された場合、第１種記号に係る記号列が当該アプリケーションにより規定されている情報量を超えているか否かを判断し、当該情報量を超えていると判断したとき、超えている情報量（例えば、１００バイト）に相当する記号を削除する。
【００４９】
制御部４５は、例えば、調整前の文章が１０１バイト以上である場合には、ＬＣＤ表示部２１に「入力可能文字数を超過しました。超過した文字列を削除しますか？」等の表示を行う。制御部４５は、ユーザによる選択操作により「Ｙｅｓ」が選択された場合には、入力確定された文字列の先頭から１００バイト目（９９バイト目が２バイトコードの場合は、先頭から９９バイト目）までをメッセージ部分に貼り付けて、ＳＭＳメールの作成画面に遷移する。また、制御部４５は、ユーザによる選択操作により「Ｎｏ」が選択された場合には、ＳＭＳメールアプリケーションの起動を行わない。この場合、制御部４５は、ＳＭＳメールの起動に代えて、文字数や禁則文宇に関する制限が、より緩和されているＥメールやメモ帳のアプリケーションを起動させたり、起動させるか否かを選択できるようにしても良い。すなわち、Ｅメールのアプリケーションやメモ帳のアプリケーションに対して、入力された調整前の文章（記号列）が制限事項に従っていることとなる場合、制御部４５は、このようなアプリケーションを起動させたり、或いは起動させることを選択させたりしても良い。また、制御部４５は、調整前の文章が１０１バイト以上である場合には、強制的に先頭から１０１バイト以降の記号を削除し、削除後の文章をメッセージ部分に貼り付けて、ＳＭＳメールの作成画面に遷移しても良い。また、ＳＭＳメールの作成画面に遷移した後は、ユーザは、所定の書式に従って、文章の追加、変更、削除等が可能である。
【００５０】
このように構成されることにより、携帯電話装置１は、作成した文章がＳＭＳメールアプリケーションの書式に適合するように調整するので、初期画面から文章を作成することができ、かつＳＭＳメールアプリケーションへの遷移をスムーズに行うことができる。
【００５１】
ここで、初期画面の状態からアプリケーションを選択せずに、直ぐに文章を作成し、その後、当該文章がＳＭＳメールアプリケーションの書式に適合するように調整し、調整後の文章をメールのメッセージ部分に貼り付ける方法について、図６に示すフローチャートを参照しながら詳細に説明する。
【００５２】
ステップＳ１において、制御部４５は、初期画面１００において第１キーが押下された場合には、押下された当該キーに割り当てられている第１種記号と、押下された当該キーに割り当てられている第２種記号とをＬＣＤ表示部２１に表示するように制御する。
【００５３】
ステップＳ２において、制御部４５は、第２キーが押下された場合には、（第１種記号表示領域１０１に入力されている）第１種記号に対する変換処理（例えば、かなを漢字に変換する処理）を実行する。
【００５４】
ステップＳ３において、制御部４５は、第３キー（キー１３ａ）が押下され、アプリケーションを選択するメニュー画面を表示するように制御する。本工程において、上下キー１５ａ、１５ｂの押下によりＳＭＳメールのアプリケーションが選択されたときに、制御部４５は、ＳＭＳメールのアプリケーションを起動する。
【００５５】
ステップＳ４において、制御部４５は、ステップＳ２の工程により作成した文章に禁則記号が含まれているか否かを判断する。禁則記号が含まれていると判断した場合には（Ｙｅｓ）、ステップＳ５に進み、禁則記号が含まれていないと判断した場合には（Ｎｏ）、ステップＳ８に進む。
【００５６】
ステップＳ５において、制御部４５は、作成した文章には禁則記号が含まれており、修正の必要がある旨の報知を行う。当該報知は、例えば、ＬＣＤ表示部２１に「入力できない文字が含まれています。正しく表示されない場合があります。よろしいですか？」等による視覚的な表示により行う。なお、報知は、視覚的な表示に限らず、音声等による形態であっても良い。
【００５７】
ステップＳ６において、制御部４５は、ステップＳ５の工程による報知に対する、ユーザからの応答を判断する。ユーザからの応答により、禁則記号を他の記号に置換すると判断した場合には（Ｙｅｓ）、ステップＳ７に進み、禁則記号を他の記号に置換しないと判断した場合には（Ｎｏ）、ステップＳ２に戻る。
【００５８】
ステップＳ７において、制御部４５は、文章に含まれるすべての禁則記号を適式な他の記号に置換する。例えば、改行を示す記号の場合には、半角のスペースを示す記号に置換する。
【００５９】
ステップＳ８において、制御部４５は、ステップＳ２の工程により作成した文章が所定の情報量（例えば、１００バイト）を超過しているか否かを判断する。１００バイトを超過していると判断した場合には（Ｙｅｓ）、ステップＳ９に進み、１００バイトを超過していないと判断した場合には（Ｎｏ）、ステップＳ１２に進む。
【００６０】
ステップＳ９において、制御部４５は、作成した文章は所定の情報量を超過、すなわち、文字数が多く、修正の必要がある旨の報知を行う。当該報知は、例えば、ＬＣＤ表示部２１に「入力可能文字数を超過しました。超過した文字列を削除しますか？」等による視覚的な表示により行う。なお、報知は、視覚的な表示に限らず、音声等による形態であっても良い。
【００６１】
ステップＳ１０において、制御部４５は、ステップＳ９の工程による報知に対する、ユーザからの応答を判断する。ユーザからの応答により、超過した文字列を削除すると判断した場合には（Ｙｅｓ）、ステップＳ１１へ進み、超過した文字列を削除しないと判断した場合には（Ｎｏ）、ステップＳ２に戻る。
【００６２】
ステップＳ１１において、制御部４５は、超過した文字列を削除する。
【００６３】
ステップＳ１２において、制御部４５は、ＳＭＳメールアプリケーションを起動して、メールの作成画面に遷移し、必要な調整をした後の文章をメッセージ部分に貼り付ける。
【００６４】
なお、ステップＳ８の工程では、作成した文章が所定の情報量を超過している場合には、ＳＭＳメールアプリケーションではなく、通常のメールアプリケーションを起動し、メールの作成画面に遷移して、作成した文章をメッセージ部分に貼り付ける構成であっても良い。
【００６５】
このように構成されることにより、携帯電話装置１は、初期画面の状態からアプリケーションを選択せずに、直ぐに文章を作成することができ、その後、当該文章が所定の書式に適合するように調整し、調整後の文章をＳＭＳメールのメッセージ部分に貼り付けるので、ＳＭＳメール機能を利用してメールを送信する方法として、従来方法とは異なる利便性の高い方法を提供することができる。
【００６６】
なお、図４に示したキーアサインの方法は、一例であって本方法に限定されることはない。
【００６７】
また、上述した実施形態では、所定のアプリケーションがＳＭＳメールの場合について説明した。しかしながら、本発明はこれに限定されることはなく、所定のアプリケーションがＳＭＳメール以外の他のアプリケーションであってもよい。
【００６８】
一例として、所定のアプリケーションは、起動直後にパスワードを入力する必要があるアプリケーションであってもよい。この場合、パスワードとなる記号列（例えば、半角数字からなる記号列）は、第１キー及び第２キーが操作されることにより入力される。制御部４５は、第３キーが操作されて、起動直後にパスワードを入力する必要があるアプリケーションが選択された場合、入力された記号列に、パスワードとして使用が禁止されている禁則記号（例えば、全角数字）が含まれているか否かを判断する。また、制御部４５は、入力された記号列が禁則記号である又は入力された記号列に禁則記号が含まれていると判断した場合、所定の第２処理として、禁則記号が含まれていることの警告表示（又は警告音声出力）を行う。
【００６９】
また、他の一例として、所定のアプリケーションは、通信部を介して接続されるインターネットを利用して、所定の文字列を検索することができる機能を備えたウェブブラウザであってもよい。この場合、検索される文字列（記号列）は、第１キー及び第２キーが操作されることにより入力される。制御部４５は、第３キーが操作されてウェブブラウザが選択された場合、入力された文字列に、検索が禁じられている禁則記号（例えば、「麻薬」や「覚せい剤」等の文字）が含まれているか否かを判断する。また、制御部４５は、入力された文字列が禁則記号である又は入力された文字列に禁則記号が含まれていると判断した場合、所定の第２処理として、入力された文字列についての検索を行わない。
【００７０】
＜第２実施形態＞
図７は、本発明に係る携帯電子機器の第２実施形態である携帯電話装置５０の外観斜視図である。図８は、携帯電子機器の第２実施形態である携帯電話装置５０の機能を示す機能ブロック図である。
【００７１】
図７に示すように、携帯電話装置５０は、操作部側筐体部２と、表示部側筐体部３と、操作部側筐体部２と表示部側筐体部３とを連結するヒンジ機構４と、を備えて構成される。
【００７２】
操作部側筐体部２の上端側には、操作部１１を構成する第４キー（ワンタッチキー１６）が配置される。図７に示す場合では、複数のワンタッチキー１６（第１ワンタッチキー１６ａ、第２ワンタッチキー１６ｂ及び第３ワンタッチキー１６ｃ）を備える。なお、ワンタッチキー１６は、図７に示すように３つ備えられる場合に限定されず、単数又は３つ以外の複数備えられてもよい。
【００７３】
第１ワンタッチキー１６ａ、第２ワンタッチキー１６ｂ及び第３ワンタッチキー１６ｃのそれぞれには、電話番号が登録可能となっている。すなわち、第１ワンタッチキー１６ａ、第２ワンタッチキー１６ｂ及び第３ワンタッチキー１６ｃのそれぞれには、電話番号及び電子メール（Ｅメール）アドレスのうち少なくとも一方がペア機能として登録可能とされる。第１〜３ワンタッチキー１６ａ〜１６ｃのいずれかが押下されることにより、押下されたワンタッチキー１６に登録されている電話番号に対して所定の文字数のメッセージを含むＳＭＳメールを送信することができ、又は登録されているＥメールアドレスに対してＥメールを送信することができる。なお、以下では、第１ワンタッチキー１６ａ及び第３ワンタッチキー１６ｃに電話番号のみが登録され、第２ワンタッチキー１６ｂにＥメールアドレスのみが登録されている一例について説明するが、本発明は、これに限定されることはない。
【００７４】
第１ワンタッチキー１６ａ、第２ワンタッチキー１６ｂ及び第３ワンタッチキー１６ｃは、電話番号により送信相手を特定し、所定の文字数のメッセージによるメール送信（ＳＭＳメールの送信）を実行するアプリケーションが選択された場合、電話番号が登録されているキーが報知される。第１ワンタッチキー１６ａ、第２ワンタッチキー１６ｂ及び第３ワンタッチキー１６ｃのそれぞれの裏側（操作部側筐体部２の内部側）には、発光部１７が配置される（図８参照）。発光部１７は、例えば、発光ダイオードから構成される。発光部１７は、制御部４５により制御されることにより点滅し又は点灯する。発光部１７が点滅又は点灯することにより、その発光部１７が配置されるワンタッチキー１６は点滅し又は点灯する。
【００７５】
なお、操作部１１を構成する機能設定操作キー１３、入力操作キー１４及び決定操作キー１５の各構成は、第１実施形態において説明した構成と同じであるので、それぞれの説明を省略する。
また、マイク１２と、メインアンテナ４０と、ＲＦ回路部４１と、ＬＣＤ制御部４２と、音声処理部４３と、メモリ４４と、ＬＣＤ表示部２１と、スピーカ２２と、ドライバＩＣ２３と、サブＬＣＤ表示部３０とは、第１実施形態において説明した構成と同じであるので、それぞれの説明を省略する。
【００７６】
制御部４５は、着信を待ち受ける初期画面１００をＬＣＤ表示部２１に表示させている状態において、第１キーのいずれかのキーが押下されたときには、押下された当該キーに割り当てられている第１種記号と、押下された当該キーに割り当てられている第２種記号とをＬＣＤ表示部２１に表示するように制御する。
【００７７】
また、制御部４５は、ＬＣＤ表示部２１に第１種記号及び第２種記号が表示されているときに、第２キーが押下された場合には、第１種記号に対する第１処理（例えば、かなを漢字に変換する処理）を実行し、その後、第３キーが操作されて、電話番号により送信相手を特定し、所定の文字数のメッセージによるメール送信（ＳＭＳメールの送信）を実行するアプリケーションが選択された場合、電話番号が登録されている第４キー（ワンタッチキー１６）を報知するように制御する。なお、第４キーを報知させる場合、制御部４５は、発光部１７を点滅させ又は点灯させるよう制御することにより、第４キー（ワンタッチキー１６）を点滅させ又は点灯させる。
【００７８】
さらに、制御部４５は、報知された第４キー（ワンタッチキー１６）が操作された場合、第１処理により作成された記号列が当該アプリケーションにより規定されている制限事項に従っているか否かを判断し、当該制限事項に従っていると判断したとき、操作された第４キー（ワンタッチキー１６）に登録されている電話番号に対してメール（ＳＭＳメール）を送信し、当該制限事項に従っていないと判断したとき、所定の第２処理を行うように制御する。
【００７９】
ここで、制御部４５は、制限事項に従っているか否かの判断として、第１処理により作成された記号列にアプリケーションにより規定されている禁則記号が含まれているか否かを判断した場合、所定の第２処理として、その禁則記号を制限事項に適合する他の記号に変換する処理を行う。
【００８０】
また、制御部４５は、制限事項に従っているか否かの判断として、第１処理により作成された記号列がアプリケーションにより規定されている情報量を超えているか否かを判断した場合、所定の第２処理として、超えている情報量に相当する記号を削除する処理を行う。
【００８１】
次に、第２実施形態に係る携帯電話装置５０の動作について、図９に示すフローチャートを参照しながら詳細に説明する。
【００８２】
ステップＳ２１において、制御部４５は、初期画面１００において第１キーが押下された場合には、押下された当該キーに割り当てられている第１種記号と、押下された当該キーに割り当てられている第２種記号とをＬＣＤ表示部２１に表示するように制御する。
【００８３】
ステップＳ２２において、制御部４５は、第２キーが押下されることに基づいて、第１種記号表示領域１０１に入力されている第１種記号に対する第１処理（例えば、かなを漢字に変換する処理）を実行した後、第３キー（キー１３ａ）が押下されると、アプリケーションの選択画面をＬＣＤ表示部２１に表示するように制御する。
【００８４】
ステップＳ２３において、制御部４５は、アプリケーションの選択を判断する。すなわち、制御部４５は、ＬＣＤ表示部２１に表示されている選択画面の中で、「Ｅメール送信」がフォーカスされているか、又は「ＳＭＳメール送信」がフォーカスされているかを判断する。「Ｅメール送信」がフォーカスされている場合には、ステップＳ２４に進む。「ＳＭＳメール送信」がフォーカスされている場合には、ステップＳ３０に進む。
なお、フォーカスされているとは、複数のアプリケーションの中からいずれか一つのアプリケーションを選択するために反転表示されていることをいう。ＬＣＤ表示部２１においてフォーカスされている（反転表示されている）アプリケーションを選択決定する（例えば、決定機能が割り当てられているセンターキー１５ｃを押下する）ことにより、そのアプリケーションが起動する。
【００８５】
ステップＳ２４において、制御部４５は、Ｅメールアドレスが登録されている第４キー（ワンタッチキー１６）を点滅させる。本実施形態の場合、第２ワンタッチキー１６ｂにのみＥメールアドレスが登録されているので、制御部４５は、第２ワンタッチキー１６ｂに対応して配置される発光部１７を点滅させるように制御して、第２ワンタッチキー１６ｂを点滅（報知）させる。なお、制御部４５は、ワンタッチキー１６を点滅させるよう制御する代わりに、ワンタッチキー１６を点灯させるよう制御してもよい。
【００８６】
ステップＳ２５において、制御部４５は、何れのキーがユーザにより操作されたのかを判断する。すなわち、制御部４５は、ワンタッチキー１６が操作されたのか、又はセンターキー１５ｃが操作されたのかを判断する。ワンタッチキー１６が操作された場合には、ステップＳ２６に進む。センターキー１５ｃが操作された場合には、ステップＳ２８に進む。
【００８７】
ステップＳ２６において、制御部４５は、ユーザにより操作されたワンタッチキー１６がステップＳ２４の処理により点滅している第２ワンタッチキー１６ｂであるか否かを判断する。操作されたものが第２ワンタッチキー１６ｂではない場合には（ＮＯ）、ステップＳ２７に進む。操作されたものが第２ワンタッチキー１６ｂの場合には（ＹＥＳ）、ステップＳ２９に進む。
【００８８】
ステップＳ２７において、制御部４５は、ユーザにより操作されたワンタッチキー１６（第１ワンタッチキー１６ａ、第３ワンタッチキー１６ｃ）にＥメールアドレスが登録されていない旨のエラー表示をＬＣＤ表示部２１に表示するように制御する。
【００８９】
ステップＳ２８において、制御部４５は、ユーザによってＥメールの送信先を選択させるために、宛先（送信先）選択画面をＬＣＤ表示部２１に表示するように制御する。宛先選択画面は、例えば、メモリ４４に記憶されているアドレス帳であればよい。アドレス帳は、Ｅメールアドレスを登録可能になっている。
【００９０】
ステップＳ２９において、制御部４５は、Ｅメールを送信する。
【００９１】
ステップＳ３０において、制御部４５は、電話番号が登録されている第４キー（ワンタッチキー１６）を点滅させる。本実施形態の場合、第１ワンタッチキー１６ａ及び第３ワンタッチキー１６ｃに電話番号が登録されているので、制御部４５は、第１ワンタッチキー１６ａ及び第３ワンタッチキー１６ｃのそれぞれに対応して配置される発光部１７を点滅させるように制御して、第１ワンタッチキー１６ａ及び第３ワンタッチキー１６ｃを点滅（報知）させる。なお、制御部４５は、ワンタッチキー１６を点滅させるよう制御する代わりに、ワンタッチキー１６を点灯させるよう制御してもよい。
【００９２】
ステップＳ３１において、制御部４５は、何れのキーがユーザにより操作されたのかを判断する。すなわち、制御部４５は、ワンタッチキー１６が操作されたのか、又はセンターキー１５ｃが操作されたのかを判断する。ワンタッチキー１６が操作された場合には、ステップＳ３２に進む。センターキー１５ｃが操作された場合には、ステップＳ３７に進む。
【００９３】
ステップＳ３２において、制御部４５は、ユーザにより操作されたワンタッチキー１６がステップＳ３０の処理により点滅している第１ワンタッチキー１６ａ又は第３ワンタッチキー１６ｃであるか否かを判断する。操作されたものが第１ワンタッチキー１６ａ又は第３ワンタッチキー１６ｃではない場合（ＮＯ）には、ステップＳ３３に進む。操作されたものが第１ワンタッチキー１６ａ又は第３ワンタッチキー１６ｃの場合（ＹＥＳ）には、ステップＳ３４に進む。
【００９４】
ステップＳ３３において、制御部４５は、ユーザにより操作されたワンタッチキー１６（第２ワンタッチキー１６ｂ）に電話番号が登録されていない旨のエラー表示をＬＣＤ表示部２１に表示するように制御する。
【００９５】
ステップＳ３４において、制御部４５は、作成した文章に禁則記号が含まれているか否かを判断すると共に、作成した文章が所定の情報量（例えば、１００バイト）を超過しているか否かを判断する。文章に禁則記号が含まれている場合又は文章が所定の情報量を超過している場合には（ＹＥＳ）、ステップＳ３５に進む。文章に禁則記号が含まれず、かつ文章が所定の情報量を超過していない場合には（ＮＯ）、ステップＳ４１に進む。
【００９６】
ステップＳ３５において、制御部４５は、ユーザからの応答に基づいて、文章に含まれている禁則記号を修正するか否か、又は所定の情報量を超過した文字列を修正するか否かを判断する。禁則記号を修正する場合又は所定の情報量を超過した文章を修正する場合（ＹＥＳ）には、ステップＳ３６に進む。禁則記号を修正しない場合又は所定の情報量を超過した文章を修正しない場合には（ＮＯ）、ステップＳ２４に進む。
【００９７】
ステップＳ３６において、制御部４５は、文章に含まれる全ての禁則記号を修正する。すなわち、制御部４５は、文章に含まれる全ての禁則記号を適式な他の記号に置換し、又は超過した文字列を削除する。
【００９８】
ステップＳ３７において、制御部４５は、作成した文章に禁則記号が含まれているか否かを判断すると共に、作成した文章が所定の情報量（例えば、１００バイト）を超過しているか否かを判断する。文章に禁則記号が含まれている場合又は文章が所定の情報量を超過している場合には（ＹＥＳ）、ステップＳ３８に進む。文章に禁則記号が含まれず、かつ文章が所定の情報量を超過していない場合には（ＮＯ）、ステップＳ４０に進む。
【００９９】
ステップＳ３８において、制御部４５は、ユーザからの応答に基づいて、文章に含まれている禁則記号を修正するか否か、又は所定の情報量を超過した文字列を修正するか否かを判断する。禁則記号を修正する場合又は所定の情報量を超過した文章を修正する場合（ＹＥＳ）には、ステップＳ３９に進む。禁則記号を修正しない場合又は所定の情報量を超過した文章を修正しない場合には（ＮＯ）、ステップＳ２４に進む。
【０１００】
ステップＳ３９において、制御部４５は、文章に含まれる全ての禁則記号を修正する。すなわち、制御部４５は、文章に含まれる全ての禁則記号を適式な他の記号に置換し、又は超過した文字列を削除する。
【０１０１】
ステップＳ４０において、制御部４５は、ユーザによってＳＭＳメールの送信先を選択させるために、宛先（送信先）選択画面をＬＣＤ表示部２１に表示させるように制御する。宛先選択画面は、例えば、メモリ４４に記憶されているアドレス帳であればよい。アドレス帳は、電話番号を登録可能になっている。
【０１０２】
ステップＳ４１において、制御部４５は、ＳＭＳメールを送信する。
【０１０３】
このように動作することにより、携帯電話装置５０は、初期画面１００から直ぐに文字列を作成することができ、作成された文字列をアプリケーションに利用することが可能である。また、携帯電話装置５０は、作成された文字列をメール本文にすることができ、少ない手順でメール送信まで行うことができる。さらに、携帯電話装置５０は、ワンタッチキー１６を点滅等（報知）させることにより（光誘導させることにより）、ユーザに対して操作手順を分かりやすく示すことができる。
【符号の説明】
【０１０４】
１  携帯電話装置
１１  操作部（キー操作部）
２１  ＬＣＤ表示部（表示部）
４４  メモリ
４５  制御部
５０  携帯電話装置
１００  初期画面
１０１  第１種記号表示領域
１０２  第２種記号表示領域
【図１】
2010032760.tif 000003
【図２】
2010032760.tif 000004
【図３】
2010032760.tif 000005
【図４】
2010032760.tif 000006
【図５】
2010032760.tif 000007
【図６】
2010032760.tif 000008
【図７】
2010032760.tif 000009
【図８】
2010032760.tif 000010
【図９】
2010032760.tif 000011
【手続補正書】
【提出日】平成22年12月8日(2010.12.8)
【手続補正１】
【補正対象書類名】明細書
【補正対象項目名】０００３
【補正方法】変更
【補正の内容】
【０００３】
ここで、携帯電話装置等の携帯電子機器では、着信を待ち受けるときやその他のアプリケーションの起動を待ち受けるときには、表示部に初期画面が表示される。この初期状態において、数字が割り当てられている操作キーが押下されると、当該押下された操作キーに対応する数字を表示部に表示する。そして、携帯電話装置は、表示部に数字が表示されている状態において、例えば、オフフックキーが押下された場合には、入力されている数字に基づいた電話発信処理を行い、また、計算機（電卓）を起動するキーが押下された場合には、入力されている数字を初期の数値として計算機アプリケーションを起動する。
【国際調査報告】
2010032760.tif 000012
2010032760.tif 000013
2010032760.tif 000014
2010032760.tif 000015